(57)【特許請求の範囲】
【請求項１】
釣り糸の先端部に取付けられたルアーと、
前記釣り糸に挿通され、かつ外面に、凹部を挟んで互いに対向する１対の係止孔を有する釣糸ガイドと、
周方向の一部が開放された径方向に拡縮可能なバンド状をなし、かつ開放端に、前記各係止孔に対向面側から嵌合可能な互いに背向する１対の差込片を有する錘保持部材と、
前記錘保持部材に抜止め手段により抜け止めして着脱可能に嵌合される錘とを備え、
前記錘を前記抜止め手段を介して前記錘保持部材により保持した状態で、前記錘保持部材を縮径方向に弾性変形させることにより、前記各差込片を、前記釣糸ガイドの各係止孔に対向面側より嵌合し、かつこの状態で、前記錘保持部材を拡径方向に弾性変形させることにより、前記係止孔からの前記差込片の離脱を防止しうるようにしたことを特徴とするルアー仕掛け。
【請求項２】
前記錘の抜止め手段は、錘の外周面に設けられ、前記錘保持部材における差込片を除いた部分が嵌合される環状溝であることを特徴とする請求項１に記載のルアー仕掛け。
【請求項３】
前記錘の抜止め手段は、錘の外周面に突設された環状突条と、前記錘保持部材における差込片を除いた部分に設けられ、前記環状突条に嵌合される開口溝とからなることを特徴とする請求項１に記載のルアー仕掛け。
【請求項４】
前記錘の抜止め手段は、錘の外周面に円周方向に９０度以上離間させて設けられた２個以上の凸部または凹部と、前記錘保持部材における差込片を除いた部分に設けられ、前記凸部に嵌合される凹孔、または前記凹部に嵌合される凸部とからなることを特徴とする請求項１に記載のルアー仕掛け。
【請求項５】
釣り糸の先端部に取付けられたルアーと、
前記釣り糸に挿通され、かつ外面に、凹部を挟んで互いに対向する１対の係止孔を有する釣糸ガイドと、
周方向の一部が、内周面に外向きの凹入部が形成されるように径方向外向きに湾曲されるとともに、周方向の一部が開放された径方向に拡縮可能なバンド状をなし、かつ開放端に、前記各係止孔に対向面側から嵌合可能な互いに背向する１対の差込片を有する錘保持部材と、
外周面に前記錘保持部材に嵌合される抜け止め用の環状溝を有するとともに、この環状溝の周方向の一部に前記凹入部に挿脱可能に嵌合される凸部が形成されている錘とを備え、
前記錘保持部材に嵌合された前記錘を円周方向に回転させて、前記凸部を、前記錘保持部材を拡径方向に弾性変形させながら前記凹入部より離脱させることにより、前記各差込片を前記釣糸ガイドの各係止孔に対向面側から嵌合し、かつ前記凸部を錘保持部材の開放部まで移動させて両差込片間に位置させることにより、前記錘保持部材を拡径状態に保持し、前記係止孔からの前記差込片の離脱を防止しうるようにしたことを特徴とするルアー仕掛け。
【請求項６】
釣り糸の先端部に取付けられたルアーと、
周方向の一部が開放された径方向に拡縮可能なバンド状をなす錘保持部材と、
外周面に前記錘保持部材が挿脱可能に嵌合される抜け止め用の環状溝が形成されている錘と、
前記錘保持部材の開放端に互いに背向するように一体的に形成されているコイル状の１対の釣糸ガイドとを備え、
前記釣り糸を前記両釣糸ガイドのいずれか一方の端部から挿入し、螺旋方向に巻き回すことにより、錘を保持した錘保持部材を釣り糸に取外し可能に取付けたことを特徴とするルアー仕掛け。
【発明の詳細な説明】
【技術分野】
【０００１】
本発明は、釣り糸の先端部に取付けられるルアー仕掛け、特に、ルアーを水中に沈めるための錘の取付構造に関する。
【背景技術】
【０００２】
例えば真鯛等を釣るルアー仕掛けには、ルアーを海底付近まで沈めるための錘が取り付けられる。特許文献１には、錘に糸通し孔を設け、この糸通し孔に、先端部にルアーを取付けたハリスを挿通して、錘をハリスに移動可能に取り付けたルアー仕掛けが記載されている。
【０００３】
また、特許文献２には、錘本体に、溝状の釣糸挿通孔と、この釣糸挿通孔に交差して連通する釣糸ガイド溝とを設け、釣糸を、釣糸ガイド溝を介して釣糸挿通孔に挿通し、弾性を有する固定部材を釣糸ガイド溝に嵌め込むことにより、釣り糸が釣糸ガイド溝及び釣糸挿通孔より抜け外れるのを防止するとともに、錘本体を交換しうるようにした釣り用錘が記載されている。
【０００４】
さらに、特許文献３には、錘(ヘッド)に設けた、スリットを有する装着孔に、釣り糸(ライン)に挿通された、外周面に突起を有する円筒状のラインガイドを、スリットに突起が嵌合されるように着脱可能に係合することにより、錘を交換可能とした仕掛けが記載されている。
【先行技術文献】
【特許文献】
【０００５】
【特許文献１】特開２０１４−２１７２８９号公報
【特許文献２】実用新案登録第３１１９６２０９号公報
【特許文献３】特開２０１４−２１７３３４号公報
【発明の概要】
【発明が解決しようとする課題】
【０００６】
特許文献１に記載されているルアー仕掛けにおいては、錘に設けた貫通孔にハリスを挿通して取付けてあるので、錘を、重さの異なる他のものと交換するには、ハリスに取付けたルアーやサルカン(より戻し)または道糸を取り外さなければならず、錘の交換作業が非常に面倒である。
【０００７】
特許文献２に記載されている釣り用錘は、釣り糸を、錘本体に形成した釣糸ガイド溝を介して、釣糸挿通孔に挿通させているのみであるので、錘本体の交換作業は容易である。しかし、その反面、釣り糸を錘本体の釣糸挿通孔に直接挿通させているので、例えば錘本体が海底の岩などに引っかかった場合に、これを外すべく、釣り糸を強く引っ張って緊張させると、釣り糸が、釣糸ガイド溝と固定部材との間の隙間を通して外れ、錘本体が釣り糸から脱落するおそれがある。
【０００８】
特許文献３に記載されている仕掛けは、釣り糸に挿通したラインガイドを、錘に設けた装着孔に着脱可能に嵌合するだけでよいので、錘の交換作業は容易である。しかし、ラインガイドは、錘の装着孔に単に嵌合されているのみであり、かつラインガイドに突設された突起を、錘に設けたスリットより突出させているので、例えば岩場等において投げ釣りする際に、ラインガイドの突起が岩に衝突し、錘からの軸方向の相対荷重がラインガイドに加わった際に、ラインガイドが錘の装着孔から外れて、錘が脱落するおそれがある。
【０００９】
本発明は、上記問題点に鑑みてなされたもので、釣り糸やルアー等を取り外すことなく、錘を容易に交換することができ、かつ錘の脱落を確実に防止しうるようにしたルアー仕掛けを提供することを目的としている。
【課題を解決するための手段】
【００１０】
本発明によると、上記課題は、次の各項のようにして解決される。
（１）釣り糸の先端部に取付けられたルアーと、前記釣り糸に挿通され、かつ外面に、凹部を挟んで互いに対向する１対の係止孔を有する釣糸ガイドと、周方向の一部が開放された径方向に拡縮可能なバンド状をなし、かつ開放端に、前記各係止孔に対向面側から嵌合可能な互いに背向する１対の差込片を有する錘保持部材と、前記錘保持部材に抜止め手段により抜け止めして着脱可能に嵌合される錘とを備え、
前記錘を、前記抜止め手段を介して前記錘保持部材により保持した状態で、前記錘保持部材を縮径方向に弾性変形させることにより、前記各差込片を、前記釣糸ガイドの各係止孔に対向面側より嵌合し、かつこの状態で、前記錘保持部材を拡径方向に弾性変形させることにより、前記係止孔からの前記差込片の離脱を防止しうるようにする。
【００１１】
このような構成によると、錘を保持した錘保持部材を縮径方向に弾性変形させるだけで、１対の差込片を、釣糸ガイドの両係止孔に簡単に嵌合することができ、かつ錘保持部材を拡径方向に弾性変形させると、係止孔に差込片が強く押し込まれた状態となるので、釣糸ガイドから錘を保持した錘保持部材が脱落するのが確実に防止される。
また、錘保持部材を縮径方向に弾性変形させて、差込片を係止孔から離脱させれば、釣糸ガイドから錘を保持した錘保持部材を取り外すことができるので、釣り糸や、釣り糸に取付けた釣糸ガイド及びルアーを取り外すことなく、錘を容易に交換することができる。
【００１２】
（２）上記(１)項において、前記錘の抜止め手段を、錘の外周面に設けられ、前記錘保持部材における差込片を除いた部分が嵌合される環状溝とする。
【００１３】
このような構成によると、錘保持部材における差込片を除いた部分の殆どが、錘の環状溝に嵌合されるので、錘保持部材に対し錘が確実に抜け止めされる。
【００１４】
（３）上記(１)項において、前記錘の抜止め手段を、錘の外周面に突設された環状突条と、前記錘保持部材における差込片を除いた部分に設けられ、前記環状突条に嵌合される開口溝とからなるものとする。
【００１５】
このような構成によると、錘保持部材における差込片を除いた部分に設けられた開口溝が、錘の外周面に突設された環状突条に嵌合されるので、錘保持部材に対し錘が確実に抜け止めされる。
【００１６】
（４）上記(１)項において、前記錘の抜止め手段を、錘の外周面に円周方向に９０度以上離間させて設けられた２個以上の凸部または凹部と、前記錘保持部材における差込片を除いた部分に設けられ、前記凸部に嵌合される凹孔、または前記凹部に嵌合される凸部とからなるものとする。
【００１７】
このような構成によると、錘保持部材に対し錘が回転するのを阻止した状態で、錘を確実に抜け止めすることができる。
【００１８】
（５）釣り糸の先端部に取付けられたルアーと、前記釣り糸に挿通され、かつ外面に、凹部を挟んで互いに対向する１対の係止孔を有する釣糸ガイドと、周方向の一部が、内周面に外向きの凹入部が形成されるように径方向外向きに湾曲されるとともに、周方向の一部が開放された径方向に拡縮可能なバンド状をなし、かつ開放端に、前記各係止孔に対向面側から嵌合可能な互いに背向する１対の差込片を有する錘保持部材と、外周面に前記錘保持部材に嵌合される抜け止め用の環状溝を有するとともに、この環状溝の周方向の一部に前記凹入部に挿脱可能に嵌合される凸部が形成された錘とを備え、
前記錘保持部材に嵌合された前記錘を円周方向に回転させて、前記凸部を、前記錘保持部材を拡径方向に弾性変形させながら前記凹入部より離脱させることにより、前記各差込片を前記釣糸ガイドの各係止孔に対向面側から嵌合し、かつ前記凸部を錘保持部材の開放部まで移動させて両差込片間に位置させることにより、前記錘保持部材を拡径状態に保持し、前記係止孔からの前記差込片の離脱を防止しうるようにする。
【００１９】
このような構成によると、錘保持部材に嵌合された錘を円周方向に回転させ、錘に設けた凸部を錘保持部材の凹入部に挿脱させるだけで、錘保持部材の１対の差込片を釣糸ガイドの両係止孔に嵌合させたり、離脱させたりすることができるので、錘の交換も容易となる。
また、凸部を錘保持部材の開放部まで移動させて両差込片間に位置させ、錘保持部材を拡径状態に保持すると、差込片が係止孔に嵌合された状態に維持されるので、釣糸ガイドから錘を保持した錘保持部材が脱落するのが確実に防止される。
【００２０】
（６）釣り糸の先端部に取付けられたルアーと、周方向の一部が開放された径方向に拡縮可能なバンド状をなす錘保持部材と、外周面に前記錘保持部材が挿脱可能に嵌合される抜け止め用の環状溝が形成されている錘と、前記錘保持部材の開放端に互いに背向するように一体的に形成されているコイル状の１対の釣糸ガイドとを備え、
前記釣り糸を前記両釣糸ガイドのいずれか一方の端部から挿入し、螺旋方向に巻き回すことにより、錘を保持した錘保持部材を釣り糸に取外し可能に取付ける。
【００２１】
このような構成によると、釣り糸をコイル状の釣糸ガイドに端部から挿入し、螺旋方向に巻き回していくことにより、錘を保持した錘保持部材を釣り糸に簡単に取付けることができ、かつ錘保持部材が釣り糸から簡単に外れるおそれはない。
また、釣り糸を取り外すことなく、すなわち釣り糸に釣糸ガイドを挿通させた状態のまま、錘保持部材を拡縮させることにより、錘を容易に交換することができる。
さらに、錘保持部材に釣糸ガイドが一体的に形成されているので、別体の釣糸ガイドが不要となり、安価なルアー仕掛けを提供することができる。
【発明の効果】
【００２２】
本発明によると、釣り糸やルアー等を取り外すことなく、錘を容易に交換することができ、かつ錘の脱落を確実に防止しうるようにしたルアー仕掛けを提供することができる。
【図面の簡単な説明】
【００２３】
【図１】本発明の実施形態１に係るルアー仕掛けの分解斜視図である。
【図２】同じく、錘取付後の斜視図である。
【図３】図２のIII−III線における拡大横断平面図である。
【図４】同じく、釣糸ガイドから錘保持部材を着脱する際の要領を示す拡大横断平面図である。
【図５】本発明の実施形態２に係るルアー仕掛けの分解斜視図である。
【図６】本発明の実施形態３に係るルアー仕掛けの分解斜視図である。
【図７】本発明の実施形態４に係るルアー仕掛けにおける差込片挿入前の図２と同部位の拡大横断平面図である。
【図８】同じく、差込片挿入後の横断平面図である。
【図９】同じく、差込片を外れ止めしたときの横断平面図である。
【図１０】本発明の実施形態５に係るルアー仕掛けにおける図２と同部位の横断平面図である。
【発明を実施するための形態】
【００２４】
以下、本発明の実施形態を、添付図面に基づいて説明する。
(実施形態１)
図１〜図４は、本発明の実施形態１に係るルアー仕掛けを示す。ルアー仕掛け１は、釣り糸２の先端部に取り付けられている。釣り糸２は、図示しない釣り竿のリールに巻回された道糸３と、道糸３に、より戻し用のサルカン４を介して接続されたハリス５とからなり、ルアー仕掛け１は、ハリス５に取り付けられている。
【００２５】
ルアー仕掛け１は、ハリス５の先端部に取付けられたルアー６と、ハリス５に挿通された釣糸ガイド７と、釣糸ガイド７に着脱可能に取り付けられる錘保持部材８と、錘保持部材８により取外し可能に保持される円盤状の錘９とを備えている。
【００２６】
ルアー６は、例えば真鯛を釣るための、一般に鯛ラバまたはタイカブラと称されている公知のもので、複数の釣り針１０と、基端部が結束されたゴム等よりなる多数の紐状片１１と、ビニール等の複数のテープ状片１２とからなっている。
【００２７】
釣糸ガイド７は、例えばポリアセタールやポリカーボネート等の合成樹脂、または硬質ゴムなどにより矩形ブロック状に形成され、幅方向の一側部には、長さ方向を向く糸通し孔１３が穿設され、この糸通し孔１３にハリス５を挿通することにより、釣糸ガイド７は、ハリス５に長さ方向に移動可能に取付けられている。
【００２８】
釣糸ガイド７の他側部の中央部には、ハリス５側に凹入する凹部１４が形成され、凹部１４を挟んで対向する突部１５、１５には、ハリス５と平行をなして長さ方向を向くとともに、凹部１４内に開口する係止孔１６、１６が、互いに対向させて貫設されている。
【００２９】
錘保持部材８は、ステンレス等の弾性を有する線材を、周方向の一部が開放するように円形に折曲してバンド状に形成したもので、全体が径方向に弾性的に拡縮しうるようになっている。拡縮させないフリー状態での錘保持部材８の内径は、錘９の外径よりも若干小径としてある。
【００３０】
錘保持部材８の開放端には、径方向外向きに延出する１対の延出部１７、１７を介して、互いに接線方向に背向する１対の差込片１８、１８が連設されている。両差込片１８、１８は、錘保持部材８を縮径させることにより、釣糸ガイド７の凹部１４を介して係止孔１６、１６に対向面側から嵌合しうるようになっている。なお、差込片１８の直径は、釣糸ガイド７の係止孔１６への挿脱を容易に行いうるように、その内径よりも小径とされている。また、差込片１８の長さは、錘保持部材８を大きく縮径させることなく、係止孔１６から離脱させうるように、比較的短寸としてある。
【００３１】
錘９は、例えば鉛、タングステン、スチール、ステンレス鋼等により形成され、全表面は塗装等により防錆処理が施されている。なお、上記の各材料を合成樹脂や硬質ゴム等によりインサート成形した錘９としてもよい。錘９の外周面の中央部には、錘保持部材８における両差込片１８を除いた部分に着脱可能に嵌合される抜け止め用の環状溝１９が形成されている。
【００３２】
環状溝１９の深さは、図３に示すように、錘保持部材８の差込片１８、１８を釣糸ガイド７の係止孔１６、１６に嵌合した状態では、錘保持部材８が環状溝１９内にあって、錘９が錘保持部材８より外れることがなく、かつ環状溝１９の溝底面と錘保持部材８との間に所要の隙間が形成される凹入寸法とされている。
【００３３】
また、図４に示すように、図３に示す状態において錘保持部材８を縮径方向に弾性変形させたとき、いずれか一方の差込片１８が一方の係止孔１６から離脱しうるだけの深さを有している。なお、錘保持部材８を縮径方向に大きく弾性変形させうるように、環状溝１９の深さを大とすれば、両差込片１８、１８を両係止孔１６、１６から同時に離脱させることも可能となる。
【００３４】
次に、上記実施形態１に係るルアー仕掛け１において、釣糸ガイド７への錘９の取付け要領について説明する。
まず、ハリス５にルアー６と釣糸ガイド７を予め取付けた状態で、錘９の環状溝１９を錘保持部材８に嵌合し、錘９を錘保持部材８により仮保持する。
【００３５】
ついで、図２及び図３に示すように、錘保持部材８の両延出部１７等を、手またはプライヤ等の工具をもって縮径方向に弾性変形させながら、差込片１８、１８を釣糸ガイド７の凹部１４内に斜めに挿入し、差込片１８、１８を片方ずつ、釣糸ガイド７の両係止孔１６に対向面側より挿入する。この状態で錘保持部材８から手を離して解放すると、錘保持部材８は拡径方向へ弾性変形し、両差込片１８には外向き(外開き方向)の付勢力が作用するので、差込片１８、１８は、係止孔１６、１６内に強く押し込まれた状態に保持される。従って、錘９を保持した錘保持部材８が、釣糸ガイド７から脱落するおそれはない。
【００３６】
取付後は、錘保持部材８における差込片１８を除いたほぼ全体が、錘９の環状溝１９内に相対移動可能に嵌合されているので、例えば、投げ釣り等において錘９が岩などに衝突しても、錘保持部材８が縮径方向に弾性変形させられることはなく、従って、差込片１８が係止孔１６から外れるおそれは極めて小さい。
【００３７】
錘９は、水深やルアー６の種類等に応じて、他の重さの異なるものと交換する場合があるが、この場合、錘保持部材８を共用しうるように、錘９の外径及び環状溝１９を共通として、厚さのみを異ならせた錘が使用される。
図４に示すように、錘９を交換するには、まず、錘保持部材８を縮径方向に弾性変形させて、一方の差込片１８を、一方の係止孔１６より離脱させたのち、錘保持部材８を斜めにして、他方の差込片１８を、他方の係止孔１６より離脱させ、錘保持部材８を錘９と共に釣糸ガイド７より取り外す。
【００３８】
ついで、錘保持部材８を若干拡径させて錘９を取り外し、他の重さの異なる錘９を錘保持部材８に取付けたのち、錘保持部材８の両差込片１８を、上述した要領で釣糸ガイド７の両係止孔１６に挿入する。これにより、道糸３に接続したサルカン４やハリス５、及びハリス５に取付けたルアー６や釣糸ガイド７を取り外すことなく、錘９を容易に交換することができる。
(実施形態２)
図５は、本発明の実施形態２に係るルアー仕掛け２０の主要部を示す。なお、このルアー仕掛け２０における上記実施形態１に係るルアー仕掛け１と異なる点は、錘２１と錘保持部材２２の形状である。
すなわち、実施形態２に係るルアー仕掛け２０における錘２１の外周面の中央部には、抜け止め用の環状突条２３が突設されている。また、錘保持部材２２は、ばね板材を、周方向の一部が開放するようにバンド状に折曲したものとし、その開放端部を除いた中央部には、錘２１の環状突条２３に遊嵌される周方向を向く開口溝２４を形成してある。
【００３９】
錘保持部材２２の開放端には、上下幅を小とした互いに背向する１対の差込片２５、２５が連設され、両差込片２５は、釣糸ガイド７に形成された矩形断面の係止孔１６、１６に、対向面側から嵌合されるようになっている。
【００４０】
この実施形態２に係るルアー仕掛け２０においても、上記実施形態１のルアー仕掛け１と同様に、錘２１の環状突条２３を錘保持部材２２の開口溝２４に嵌合したのち、錘保持部材２２を縮径方向に弾性変形させながら、差込片２５、２５を釣糸ガイド７の両係止孔１６に対向面側より挿入すれば、錘保持部材２２が拡径方向へ弾性変形して、両差込片２５が両係止孔１６内に強く押し込まれるので、錘保持部材２２は、錘２１を保持した状態で、釣糸ガイド７に抜け止めして着脱可能に取り付けられる。また、錘保持部材２２を縮径方向に弾性変形させて、両差込片２５を係止孔１６より離脱させることにより、上記実施形態１と同様、道糸３に接続したサルカン４やハリス５、及びハリス５に取付けたルアー６や釣糸ガイド７を取り外すことなく、錘９を容易に交換することができる。
(実施形態３)
図６は、本発明の実施形態３に係るルアー仕掛け２６の主要部を示す。このルアー仕掛け２６は、上記実施形態２に係るルアー仕掛け２０の変形例で、錘２１の外周面の中央部には、遠心方向を向く抜け止め用の複数(３個)の凸部２７が、円周方向にほぼ９０度ずつ離間させて突設されている。
【００４１】
また、上記実施形態２と同形のばね板材よりなる錘保持部材２２には、錘２１の各凸部２７を遊嵌しうる３個の凹孔２８が穿設されている。
実施形態３に係るルアー仕掛け２６においても、実施形態２のルアー仕掛け２０と同様に、錘２１の各凸部２７を錘保持部材２２の各凹孔２８に嵌合したのち、錘保持部材２２を縮径方向に弾性変形させながら、差込片２５、２５を釣糸ガイド７の両係止孔１６に対向面側より挿入することにより、錘保持部材２２を、錘２１を保持した状態で、釣糸ガイド７に抜け止めして着脱可能に取り付けることができ、かつ錘２１の交換も容易に行うことができる。また、錘２１の複数の凸部２７が、錘保持部材２２の複数の凹孔２８に嵌合されているので、錘保持部材２２と錘２１とが相対回転するのが防止される。なお、実施形態３に係るルアー仕掛け２６においては、凸部２７と凹孔２８の数を３個以上としてもよい。
【００４２】
(実施形態４)
図７〜図９は、本発明の実施形態４に係るルアー仕掛け２９の図２と同部位の拡大横断平面図である。このルアー仕掛け２９においては、実施形態１と同様の錘９の外周面に形成された環状溝１９の円周方向の一部に、上下の厚さが環状溝１９の溝幅と等しく、かつ外周面が凸曲面をなす山形状断面の凸部３０が、半径方向外側(遠心方向)に突設されている。
【００４３】
また、錘９の環状溝１９に嵌合される、実施形態１と同様の錘保持部材８の円周方向の一部、例えば図７において左方の差込片１８から円周方向にほぼ９０度離間する部分には、径方向外向き(遠心方向)に湾曲する概ね円弧状の湾曲部３１が形成され、この湾曲部３１の内周面側に形成される外向きの凹入部３２には、錘９の凸部３０が挿脱可能に嵌合されるようになっている。
【００４４】
図７は、釣糸ガイド７に錘保持部材８を取付ける前の状態を示すものであるが、この状態においては、錘９の環状溝１９に嵌合された錘保持部材８における湾曲部３１を除いた部分は、環状溝１９の溝底面に当接または近接するようになっている。また、錘保持部材８に形成された右方の差込片１８を釣糸ガイド７の右方の係止孔１６に嵌合した場合に、左方の差込片１８は、釣糸ガイド７の左方の係止孔１６から離脱するようになっている。
【００４５】
錘９を保持した錘保持部材８を釣糸ガイド７に取付けるには、まず図７に示すように、錘保持部材８の右方の差込片１８を釣糸ガイド７の右方の係止孔１６に嵌合した状態で、図８に示すように、錘９を平面視時計方向に回転させる。すると、錘保持部材８の凹入部３２に嵌合している錘９の凸部３０が、錘保持部材８の左半部を拡径方向へ弾性変形させながら、凹入部３２より離脱することにより、錘保持部材８の左方の差込片１８が右方の差込片１８に対し離間する方向に移動させられ、左方の差込片１８が釣糸ガイド７の左方の係止孔１６に嵌合する。なお、図示は省略するが、錘９を手で容易に回転させるために、その周端部寄りの上下両面に滑り止め用の凹部や凸部等を形成してもよい。
【００４６】
図９に示すように、錘９をさらに回転させて、凸部３０を錘保持部材８の開放部まで移動させて両差込片１８間に位置させると、凸部３０の左右両側の基部外周面が、錘保持部材８の１対の延出部１７、１７の基部の対向面に当接することにより、錘保持部材８は、縮径方向に弾性変形するのが阻止され、拡径された状態に保持される。その結果、錘保持部材８の差込片１８、１８が釣糸ガイド７の係止孔１６、１６に嵌合した状態に維持されるので、錘９を保持した錘保持部材８が釣糸ガイド７から脱落するのが確実に防止される。
【００４７】
錘９を保持した錘保持部材８を釣糸ガイド７から取外すには、図９に示す状態から、錘９を反時計方向に回転させ、図７に示すように、凸部３０を錘保持部材８の凹入部３２内に位置させればよい。これにより、錘保持部材８は、縮径方向に弾性変形し、左方の差込片１８が釣糸ガイド７の左方の係止孔１６より離脱することにより、釣糸ガイド７から錘保持部材８を取外して他の錘と交換することができる。
【００４８】
(実施形態５)
図１０は、本発明の実施形態５に係るルアー仕掛け３３を示す。
このルアー仕掛け３３は、上記実施形態１に係るルアー仕掛け１と同形の錘９と、その外周面の環状溝１９に嵌合される拡縮可能なバンド状の錘保持部材３４と、この錘保持部材３４の開放部に接線方向を向くように一体的に連設されたコイル状の１対の釣糸ガイド３５、３５とからなっている。
【００４９】
釣糸ガイド３５、３５は、錘保持部材３４の開放部側の両端部に、螺旋の向きを互いに反対として、かつ互いに背向するように対称的に連設されている。
実施形態５に係るルアー仕掛け３３においては、錘保持部材３４を拡径させて錘９の環状溝１９に嵌合したのち、ハリス５を、左右いずれか一方の釣糸ガイド３５の一端より挿入し、螺旋方向に巻き回していくことにより、両釣糸ガイド３５内に挿入することができる。なお、左右の釣糸ガイド３５、３５は、螺旋の向きが反対であるので、一方の釣糸ガイド３５の内端から出たハリス５を他方の釣糸ガイド３５に連続して挿入するときには、ハリス５の巻き回し方向を反対にすればよい。巻き回し方向を同一とするために、左右の釣糸ガイド３５、３５の螺旋の向きを同方向とすることもできる。
【００５０】
実施形態５に係るルアー仕掛け３３においても、道糸３にサルカン４やルアー６を取付けた状態のまま、釣糸ガイド３５、３５をハリス５に挿入することができる。また、ハリス５を上記と反対方向に巻き回すことにより、釣糸ガイド３５、３５をハリス５から取外すことができる。
【００５１】
錘９を交換するには、ハリス５に釣糸ガイド３５、３５を挿入した状態のまま錘保持部材３４を拡径させれば、錘９を取り外せるので、その交換作業も容易となる。
また、実施形態１〜４のような別体の釣糸ガイド７が不要となるので、安価なルアー仕掛け３３を提供することができる。
【００５２】
以上、本発明に係るルアー仕掛けの実施形態について説明したが、本発明は、上記各実施形態に限定されるものではなく、本発明の要旨を逸脱しない範囲内において、種々の変形や変更を施すことが可能である。
【００５３】
例えば、上記実施形態では、道糸３にサルカン４やハリス５を接続し、ハリス５にルアー６を取り付けているが、サルカン４やハリス５を省略し、道糸３に、ルアー６を直接取り付けたものとしてもよい。
【００５４】
また、図６に示すルアー仕掛け２６においては、錘２１の外周面に３個の凸部２７を突設し、各凸部２７に、錘保持部材２２の穿設した３個の凹孔２８を嵌合するようにしたが、これとは反対に、錘２１の外周面に２個以上の凹部を設け、各凹部に、錘保持部材２２の内周面に突設した２個以上の凸部をそれぞれ嵌合するようにしてもよい。この場合の凸部は、例えば錘保持部材２２の外周面の複数箇所を、プレス等により内周面側に凹ませて形成することができる。
【００５５】
さらに、上記実施形態では、錘９、２１を円盤形をなすものとしたが、例えば楕円形や多角形等の非円形とすることもある。
【００５６】
本発明に用いられるルアー６は、真鯛を釣るためのものとしたが、これに限定されるものではなく、魚の種類に対応した種々の形状のルアーを取付けたものにも、本発明を適用しうることは勿論である。
【符号の説明】
【００５７】
１  ルアー仕掛け
２  釣り糸
３  道糸
４  サルカン
５  ハリス
６  ルアー
７  釣糸ガイド
８  錘保持部材
９  錘
１０  釣り針
１１  紐状片
１２  テープ状片
１３  糸通し孔
１４  凹部
１５  突部
１６  係止孔
１７  延出部
１８  差込片
１９  環状溝
２０  ルアー仕掛け
２１  錘
２２  錘保持部材
２３  環状突条
２４  開口溝
２５  差込片
２６  ルアー仕掛け
２７  凸部
２８  凹孔
２９  ルアー仕掛け
３０  凸部
３１  湾曲部
３２  凹入部
３３  ルアー仕掛け
３４  錘保持部材
３５  釣糸ガイド
【図１】
0006513515.tif 000002
【図２】
0006513515.tif 000003
【図３】
0006513515.tif 000004
【図４】
0006513515.tif 000005
【図５】
0006513515.tif 000006
【図６】
0006513515.tif 000007
【図７】
0006513515.tif 000008
【図８】
0006513515.tif 000009
【図９】
0006513515.tif 000010
【図１０】
0006513515.tif 000011